Podtech/llm-jp-corpus-v4-ja_patent huggingface dataset:
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  プレーヤーの操作によるゲーム空間内の移動体が、所定の移動経路を移動するゲームを行うためのゲーム画像を生成するゲームシステムであって、
前記移動体の競争相手となる再現移動体を出現させるための再現データを記憶するための記憶手段と、
前記移動体が、前記移動経路内の競争区間を移動中に、前記記憶した再現データに基づき、前記再現移動体を前記ゲーム空間内に出現させるための処理手段と、
前記プレーヤーに少なくとも１つの前記再現移動体を選択させるための手段と、
を含み、
前記記憶手段は、複数の前記再現データを記憶し、
前記処理手段は、前記複数の再現データから前記プレーヤーによって選択された前記再現移動体に対応する前記再現データを読み出して前記再現移動体として表示するゲーム画像を生成することを特徴とするゲームシステム。
【請求項２】  請求項１において、
前記記憶手段は、前記再現データとして、前記プレーヤーが前記競争区間において最良のゲーム成果を達成した場合の移動体の移動動作を再現するためのデータを記憶することを特徴とするゲームシステム。
【請求項３】  請求項１において、
前記記憶手段は、前記再現データとして、前記プレーヤーの操作による移動体以外の移動体の移動動作を再現するためのデータを記憶することを特徴とするゲームシステム。
【請求項４】  請求項１〜３のいずれかにおいて、
前記移動経路は、前記移動体が複数回周回する周回コースを含み、
前記競争区間は、前記周回コースの少なくとも１周を単位として、周回コースの所定範囲に設定され、
前記処理手段は、前記移動体が前記周回コースの競争区間での移動を開始するごとに、前記再現移動体を競争区間に出現させて移動させる処理を行うことを特徴とするゲームシステム。
【請求項５】  請求項４において、
前記周回コースの１周が前記所定範囲として設定され、
前記処理手段は、前記移動体が前記周回コースを１周する毎に、前記再現移動体を競争区間の開始地点に出現させ競争区間を移動させる処理を行うことを特徴とするゲームシステム。
【請求項６】  請求項１〜５のいずれかにおいて、
前記ゲームはレーシングゲームであって、
前記処理手段は、前記再現移動体と前記移動体とのタイム差を表示するためのゲーム画像を生成することを特徴とするゲームシステム。
【請求項７】  プレーヤーの操作によるゲーム空間内の移動体が、所定の移動経路を移動するゲームを行うためのプログラムを記録した、コンピュータ読み取り可能な情報記憶媒体であって、
コンピュータを、
前記移動体の競争相手となる再現移動体を再現するための再現データを記憶するための手段と、
前記移動体が、前記移動経路内の競争区間を移動中に、前記記憶した再現データに基づき、前記再現移動体を前記ゲーム空間内に再現するための処理手段と、
前記プレーヤーに少なくとも１つの前記再現移動体を選択させるための手段として機能させるためのプログラムを記録し、
前記記憶するための手段は、複数の前記再現データを記憶し、
前記処理手段は、前記複数の再現データから前記プレーヤーによって選択された前記再現移動体に対応する前記再現データを読み出して前記再現移動体として表示するゲーム画像を生成することを特徴とする情報記憶媒体。
【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  移動体がコースを移動するゲームを行うためのシステムであって、
ゲームの最終成績に影響する第１タイプの個別評価項目を設定し、前記移動体の移動に基づき、前記個別評価項目の評価を行うための第１の手段と、
前記移動体の最終成績に、前記個別評価項目の評価結果を反映させ出力する処理を行うための成績演算手段と、
を含むことを特徴とするゲームを行うためのシステム。
【請求項２】  移動体がコースを移動するゲームを行うためのシステムであって、
プレーヤの技術的な評価を行うための第２タイプの個別評価項目を設定し、前記移動体の移動に基づき、前記個別評価項目の評価を行うための第２の手段と、
前記第２タイプの個別評価項目の評価結果を出力する処理を行うための成績演算手段と、
を含むことを特徴とするゲームを行うためのシステム。
【請求項３】  移動体がコースを移動するゲームを行うためのシステムであって、
ゲームの最終成績に影響する第１タイプの個別評価項目及びプレーヤの技術的な評価を行うための第２タイプの個別評価項目を設定し、前記移動体の移動に基づき、前記個別評価項目の評価を行うための手段と、
前記第２タイプの個別評価項目の評価結果を出力する処理を行うとともに、前記移動体の最終成績に、前記第１タイプの個別評価項目の評価結果を反映させ出力する処理を行うための成績演算手段と、
を含むことを特徴とするゲームを行うためのシステム。
【請求項４】  請求項１、３のいずれかにおいて、
前記ゲームは、
前記移動体が、ゲーム空間内に設定されたコースをプレーヤの操作に従って移動しゴールインするまでの時間で最終成績が決定され、
前記成績演算手段は、
前記第１タイプの個別評価項目の評価結果を、前記ゴールインするまでの時間に反映させ最終成績を出力するための処理を行うことを特徴とするゲームを行うためのシステム。
【請求項５】  請求項２〜４のいずれかにおいて、
前記ゲームは、
前記移動体が、ゲーム空間内に設定されたコースをプレーヤの操作に従って移動しゴールインするまでの時間で最終成績が決定され、
前記第２タイプの個別評価項目は、
最終成績を高めるために必要なプレーヤ操作の技術的な評価項目として設定されたことを特徴とするゲームを行うためのシステム。
【請求項６】  ゲームにおけるプレーヤのプレー技術を個別的に評価するための個別評価項目を設定するための手段と、
プレーヤのプレーに基づき、前記個別評価項目の評価を行い、評価結果を出力する処理を行うための手段と、
を含むことを特徴とするゲームを行うためのシステム。
【請求項７】  移動体がコースを移動するゲームをコンピュータに実行させるためのプログラムが記憶されたコンピュータ読み取り可能な情報記憶媒体であって、
前記プログラムは、
ゲームの最終成績に影響する第１タイプの個別評価項目を、前記移動体の移動に基づき評価をするための手段と、
前記移動体の最終成績に、前記個別評価項目の評価結果を反映させ出力する処理を行うための手段と、
としてコンピュータを機能させることを特徴とする情報記憶媒体。
【請求項８】  移動体がコースを移動するゲームをコンピュータに実行させるためのプログラムが記憶されたコンピュータ読み取り可能な情報記憶媒体であって、
前記プログラムは、
プレーヤの技術的な評価を行うための第２タイプの個別評価項目を、前記移動体の移動に基づき評価するための手段と、
前記第２タイプの個別評価項目の評価結果を出力する処理を行うための手段と、
としてコンピュータを機能させることを特徴とする情報記憶媒体。
【請求項９】  移動体がコースを移動するゲームをコンピュータに実行させるためのプログラムが記憶されたコンピュータ読み取り可能な情報記憶媒体であって、
前記プログラムは、
ゲームの最終成績に影響する第１タイプの個別評価項目及びプレーヤの技術的な評価を行うための第２タイプの個別評価項目を、前記移動体の移動に基づき評価するための手段と、
前記第２タイプの個別評価項目の評価結果を出力する処理を行うとともに、前記移動体の最終成績に、前記第１タイプの個別評価項目の評価結果を反映させ出力する処理を行うための手段と、
としてコンピュータを機能させることを特徴とする情報記憶媒体。
【手続補正２】
【補正対象書類名】明細書
【補正対象項目名】０００８
【補正方法】変更
【補正の内容】
【０００８】
さらに、本発明は、
移動体がコースを移動するゲームをコンピュータに実行させるためのプログラムが記憶されたコンピュータ読み取り可能な情報記憶媒体であって、
前記プログラムは、
ゲームの最終成績に影響する第１タイプの個別評価項目を、前記移動体の移動に基づき評価をするための手段と、
前記移動体の最終成績に、前記個別評価項目の評価結果を反映させ出力する処理を行うための手段と、
としてコンピュータを機能させることを特徴とする。
【手続補正３】
【補正対象書類名】明細書
【補正対象項目名】００１２
【補正方法】変更
【補正の内容】
【００１２】
さらに、本発明は、
移動体がコースを移動するゲームをコンピュータに実行させるためのプログラムが記憶されたコンピュータ読み取り可能な情報記憶媒体であって、
前記プログラムは、
プレーヤの技術的な評価を行うための第２タイプの個別評価項目を、前記移動体の移動に基づき評価するための手段と、
前記第２タイプの個別評価項目の評価結果を出力する処理を行うための手段と、
としてコンピュータを機能させることを特徴とする。
【手続補正４】
【補正対象書類名】明細書
【補正対象項目名】００１７
【補正方法】変更
【補正の内容】
【００１７】
さらに、本発明は、
移動体がコースを移動するゲームをコンピュータに実行させるためのプログラムが記憶されたコンピュータ読み取り可能な情報記憶媒体であって、
前記プログラムは、
ゲームの最終成績に影響する第１タイプの個別評価項目及びプレーヤの技術的な評価を行うための第２タイプの個別評価項目を、前記移動体の移動に基づき評価するための手段と、
前記第２タイプの個別評価項目の評価結果を出力する処理を行うとともに、前記移動体の最終成績に、前記第１タイプの個別評価項目の評価結果を反映させ出力する処理を行うための手段と、
としてコンピュータを機能させることを特徴とする。
【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  プレーヤの操作する移動体が、スタート待機状態から待機時間を経過した後スタートするゲームを行うためのゲームシステムであって、
前記待機時間をランダムに設定するための設定手段を有することを特徴とするゲームシステム。
【請求項２】  プレーヤの操作する移動体が、スタート待機状態から待機時間を経過した後スタートするゲームを行うためのゲームシステムであって、
前記待機時間をランダムに設定するための設定手段と、
プレーヤの操作データと、スタート時の最適な操作条件との適合度に基づき、前記移動体のスタート時における加速処理を行うための処理手段と、
を含むことを特徴とするゲームシステム。
【請求項３】  プレーヤの操作対象が操作不能状態から操作可能状態になるまでの待機時間をランダムに設定するための設定手段と、
前記プレーヤの操作により入力される操作データと、前記操作不能状態から操作可能状態への切替時における最適な操作条件との適合度に基づき、前記操作によるゲーム実行結果を変化させるための処理手段と、
を含むことを特徴とするゲームシステム。
【請求項４】  プレーヤの操作対象が、対戦待機状態から待機時間を経過した後に対戦を開始する対戦型ゲームを行うためのゲームシステムであって、
前記待機時間を可変に設定するための設定手段を有することを特徴とするゲームシステム。
【請求項５】  請求項２、３のいずれかにおいて、
前記処理手段は、前記適合度を、操作タイミングの適合度として判断することを特徴とするゲームシステム。
【請求項６】  請求項１〜５のいずれかにおいて、
前記設定手段は、
複数の待機時間情報を記憶するための手段と、
記憶された前記待機時間情報から１つの待機時間情報をランダムに選択し前記待機時間を設定するための手段と、
を含むことを特徴とするゲームシステム。
【請求項７】  プレーヤの操作する移動体が、スタート待機状態から待機時間を経過した後スタートするゲームを行うためのプログラムを記憶した、コンピュータ読み取り可能な情報記憶媒体であって、
前記待機時間をランダムに設定するための設定手段としてコンピュータを機能させるためのプログラムを記憶した情報記憶媒体。
【請求項８】  プレーヤの操作する移動体が、スタート待機状態から待機時間を経過した後スタートするゲームを行うためのプログラムを記憶した、コンピュータ読み取り可能な情報記憶媒体であって、
コンピュータを、
前記待機時間をランダムに設定するための設定手段と、
プレーヤの操作データと、スタート時の最適な操作条件との適合度に基づき、前記移動体のスタート時における加速処理を行うための処理手段として機能させるためのプログラムを記憶した情報記憶媒体。
【請求項９】  コンピュータを、
プレーヤの操作対象が操作不能状態から操作可能状態になるまでの待機時間をランダムに設定するための設定手段と、
前記プレーヤの操作により入力される操作データと、前記操作不能状態から操作可能状態への切替時における最適な操作条件との適合度に基づき、前記操作によるゲーム実行結果を変化させるための処理手段として機能させるためのプログラムを記憶したコンピュータ読み取り可能な情報記憶媒体。
【請求項１０】  プレーヤの操作対象が、対戦待機状態から待機時間を経過した後に対戦を開始する対戦型ゲームを行うためのプログラムを記憶した、コンピュータ読み取り可能な情報記憶媒体であって、
前記待機時間を可変に設定するための設定手段としてコンピュータを機能させるためのプログラムを記憶した情報記憶媒体。
【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  プレーヤの操作するプレーヤキャラクタが通過するゲーム空間内に、所定の適正操作が必要とされる操作ポイントを設ける手段と、
前記操作ポイントに基づき操作目標値表示領域を設定する手段と、
プレーヤがプレーヤキャラクタの操作情報を入力する手段と、
前記操作情報に基づきプレーヤキャラクタの動作演算を行い、プレーヤキャラクタが前記操作目標値表示領域に来たか否か判断し、前記操作目標値表示領域に来たと判断した場合には、前記所定の適正操作を行うための目安となる操作目標値を出力するための処理を行う操作目標値出力手段とを含むことを特徴とするゲーム装置。
【請求項２】  プレーヤの操作するプレーヤ移動体が移動するゲーム空間内のコース上に、所定の適正操作が必要とされる操作ポイントを設ける手段と、
前記操作ポイントに基づき操作目標値表示領域を設定する手段と、
プレーヤが模擬移動体を操作することにより操作情報を入力する手段と、
前記操作情報に基づきプレーヤ移動体の移動演算を行い、プレーヤ移動体が前記操作目標値表示領域に来たか否か判断し、前記操作目標値表示領域に来たと判断した場合には、前記所定の適正操作の目安となる操作目標値を出力するための処理を行う操作目標値出力手段とを含むことを特徴とするゲーム装置。
【請求項３】  請求項１乃至２のいずれかにおいて、
前記操作目標値出力手段が、
プレーヤの入力した操作情報に基づき決定される現在の操作結果であって前記操作目標値に対応する値を前記操作目標値ともに出力することを特徴とするゲーム装置。
【請求項４】  請求項１乃至３のいずれかにおいて、
プレーヤが適正操作を行うために必要な動作指示メッセージを出力する手段を含むことを特徴とするゲーム装置。
【請求項５】  請求項１乃至４のいずれかにおいて、
前記ゲーム空間内の仮想カメラから見たゲーム画像を生成する画像生成手段を含み、前記操作目標値が操作ポイント付近のゲーム画像に付加して表示されることを特徴とするゲーム装置。
【請求項６】  コンピュータが読みとり可能な情報記憶媒体であって、
プレーヤの操作するプレーヤキャラクタが通過するゲーム空間内に、所定の適正操作が必要とされる操作ポイントを設ける手段と、
前記操作ポイントに基づき操作目標値表示領域を設定する手段と、
プレーヤが入力したプレーヤキャラクタの操作情報に基づきプレーヤキャラクタの動作演算を行い、プレーヤキャラクタが前記操作目標値表示領域に来たか否か判断し、前記操作目標値表示領域に来たと判断した場合には、前記所定の適正操作を行うための目安となる操作目標値を出力する手段としてコンピュータを機能させるためのプログラムが記憶されていることを特徴とする情報記憶媒体。
【請求項７】  コンピュータが読みとり可能な情報記憶媒体であって、
プレーヤの操作するプレーヤ移動体が移動するゲーム空間内のコース上に、所定の適正操作が必要とされる操作ポイントを設ける手段と、
前記操作ポイントに基づき操作目標値表示領域を設定する手段と、
プレーヤが模擬移動体を操作することにより入力した操作情報に基づきプレーヤ移動体の移動演算を行い、プレーヤ移動体が前記操作目標値表示領域に来たか否か判断し、前記操作目標値表示領域に来たと判断した場合には、前記所定の適正操作の目安となる操作目標値を出力する手段としてコンピュータを機能させるためのプログラムが記憶されていることを特徴とする情報記憶媒体。
【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】  プレーヤがゲームプレイを行うためのゲーム装置であって、
プレーヤの操作により移動体をオブジェクト空間内で移動させるための処理を行う移動体演算手段と、
オブジェクト空間内の所与の視点において見える画像を生成するための処理を行う画像生成手段と、
移動体の走行音を含むゲーム音を生成するための処理を行う音生成手段と、
移動体のコーナリング時において、移動体の走行音を、移動体の減速時の走行音を擬似的に表す疑似減速音に設定するための処理を行う走行音設定手段とを含むことを特徴とするゲーム装置。
【請求項２】  請求項１において、
前記走行音設定手段は、
プレーヤのコーナリング操作を検出して、移動体の走行音を前記疑似減速音に設定することを特徴とするゲーム装置。
【請求項３】  請求項２において、
前記走行音設定手段は、
プレーヤのコーナリング操作量に応じて、移動体の走行音を段階的に変化させることを特徴とするゲーム装置。
【請求項４】  請求項１において、
前記走行音設定手段は、
移動体のコーナー進入を検出して、移動体の走行音を前記疑似減速音に設定することを特徴とするゲーム装置。
【請求項５】  請求項１乃至４のいずれかにおいて、
前記走行音設定手段は、
移動体の走行音の音量を小さくする処理、走行音のピッチを低くする処理、及び走行音の音色をパーシャル・スロット時の音色にする処理の少なくとも１つを行うことで、移動体の走行音を前記疑似減速音に設定することを特徴とするゲーム装置。
【請求項６】  請求項１乃至４のいずれかにおいて、
前記走行音設定手段は、
移動体の走行音が複数の音源により生成されている場合において、該複数の音源の少なくとも１つの音源の音量を小さくすることで、移動体の走行音を前記疑似減速音に設定することを特徴とするゲーム装置。
【請求項７】  請求項６において、
前記音量を小さくする音源が、移動体の高速走行時の走行音を表す音源であることを特徴とするゲーム装置。
【請求項８】  コンピュータにより情報の読み取りが可能であり、プレーヤがゲームプレイを行うための情報記憶媒体であって、
プレーヤの操作により移動体をオブジェクト空間内で移動させるための処理を行う移動体演算手段と、
オブジェクト空間内の所与の視点において見える画像を生成するための処理を行う画像生成手段と、
移動体の走行音を含むゲーム音を生成するための処理を行う音生成手段と、
移動体のコーナリング時において、移動体の走行音を、移動体の減速時の走行音を擬似的に表す疑似減速音に設定するための処理を行う走行音設定手段として、
コンピュータを機能させるプログラムを記憶した情報記憶媒体。
【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  少なくとも光学素子の駆動を司る複数の機能の初期設定値が蓄積され且つ前記初期設定値が書き換え不可能な初期設定データと、前記初期設定データから引き出された複数の機能の初期設定値を基に書き換えられたユーザー設定値が蓄積され且つ書き換え可能なユーザー設定データと、を有することを特徴とする光学装置。
【請求項２】  前記ユーザー設定データを複数有することを特徴とする請求項１記載の光学装置。
【請求項３】  前記複数のユーザー設定データのうち、第１のユーザー設定データに蓄積されたユーザー設定値が第２のユーザー設定データのユーザー設定値に移行可能であることを特徴とする請求項２記載の光学装置。
【請求項４】  請求項１から３のいずれか１項記載の光学装置のユーザー設定データに蓄積されたユーザー設定値が、別の光学装置のユーザー設定データのユーザー設定値に移行可能であることを特徴とする光学装置。
【請求項５】  前記ユーザー設定データは前記初期設定データに初期化可能であることを特徴とする請求項１から４のいずれか１項記載の光学装置。
【請求項６】  表示器と、前記表示器の電源投入時に最初に表示される立上げメニューと、光学素子の駆動を司る機能の設定値の変更が可能な設定変更アイコンを有する設定変更メニューと、を備え、
前記設定変更アイコンが前記立上げメニュー内に表示されていることを特徴とする光学装置。
【請求項７】  前記設定変更アイコンはアイリスのゲインを変更するゲイン設定変更アイコンであることを特徴とする請求項６記載の光学装置。
【請求項８】  表示器と、前記表示器の電源投入時に最初に表示される立上げメニューと、光学素子の駆動を司る複数の機能の選択が可能な機能選択メニューと、前記光学素子の駆動を司る機能の設定値の変更が可能な設定変更メニューと、を備え、
前記立上げメニューから前記設定変更メニューへの移行は前記機能選択メニューを介して行われることを特徴とする光学装置。
【請求項９】  前記機能選択メニューはアイリス機能選択メニューであり、前記設定変更メニューはアイリスのゲインを変更するゲイン設定変更メニューであることを特徴とする請求項８記載の光学装置。
【請求項１０】  表示器と、光学素子の駆動を司る複数の機能の選択が可能な第１の機能選択メニューと、第１の機能選択メニューから移行され且つ前記光学素子の駆動を司る機能の設定値の変更が可能な第１の設定変更メニューと、を備え、
前記第１の設定変更メニューから前記第１の機能選択メニューとは異なる第２の機能選択メニューに移行不可能であることを特徴とする光学装置。
【請求項１１】  前記第１の機能選択メニューはアイリス機能選択メニューであり、前記第１の設定変更メニューはアイリスのゲインを変更するゲイン設定変更メニューであり、前記第２の機能選択メニューはズーム機能選択メニューであることを特徴とする請求項１０記載の光学装置。
【請求項１２】  前記表示器の電源投入時に最初に表示される立上げメニューを有することを特徴とする請求項１０記載の光学装置。
【請求項１３】  表示器と、前記表示器の電源投入時に最初に表示される立上げメニューと、前記立上げメニューから移行され且つ光学素子の駆動を司る複数の機能の選択が可能な第１の機能選択メニューと、前記立上げメニューからユーザーのデータを司る複数の機能の選択が可能なユーザー機能選択メニューと、を備え、
前記第１の機能選択メニューから前記立上げメニューへの移行の間に介在する移行確認メニューを備え、
前記第１の機能選択メニューから前記移行確認メニューに移行した場合、前記移行確認メニューから前記第１の機能選択メニューへの逆行は可能であるが、前記移行確認メニューから前記ユーザー機能選択メニューへの移行は不可能であることを特徴とする光学装置。
【請求項１４】  前記第１の機能選択メニューから移行され且つ前記光学素子の駆動を司る機能の設定値の変更が可能な第１の設定変更メニューを有することを特徴とする請求項１３記載の光学装置。
【請求項１５】  前記第１の機能選択メニューはアイリス機能選択メニューであり、前記第１の設定変更メニューはアイリスのゲインを変更するゲイン設定変更メニューであることを特徴とする請求項１４記載の光学装置。
【請求項１６】  表示器と、前記表示器の電源投入時に最初に表示される立上げメニューと、前記立上げメニューから移行され且つ光学素子の駆動を司る複数の機能の選択が可能な第１の機能選択メニューと、第１の機能選択メニューと異なる第２の機能選択メニューと、を備え、
前記第１の機能選択メニューから前記立上げメニューへの移行の間に介在する移行確認メニューを備え、
前記第１の機能選択メニューから前記移行確認メニューに移行した場合、前記移行確認メニューから前記第１の機能選択メニューへの逆行は可能であるが、前記移行確認メニューから第２の機能選択メニューへの移行は不可能であることを特徴とする光学装置。
【請求項１７】  前記第１の機能選択メニューから移行され且つ前記光学素子の駆動を司る機能の設定値の変更が可能な第１の設定変更メニューを有することを特徴とする請求項１６記載の光学装置。
【請求項１８】  前記第１の機能選択メニューはアイリス機能選択メニューであり、前記第１の設定変更メニューはアイリスのゲインを変更するゲイン設定変更メニューであり、前記第２の機能選択メニューはズーム機能選択メニューであることを特徴とする請求項１６記載の光学装置。
【請求項１９】  表示器と、前記表示器の電源投入時に最初に表示される立上げメニューと、前記立上げメニューから移行され且つ光学素子の駆動を司る複数の機能の選択が可能な第１の機能選択メニューと、前記立上げメニューからユーザーのデータを司る複数の機能の選択が可能なユーザー機能選択メニューと、を備え、
前記立上げメニューから前記第１の機能選択メニューへの移行は、前記ユーザー機能選択メニューを介して行われ、
前記立上げメニューから前記第１の機能選択メニューへの直接の移行は不可能であることを特徴とする光学装置。
【請求項２０】  前記第１の機能選択メニューから移行され且つ前記光学素子の駆動を司る機能の設定値の変更が可能な第１の設定変更メニューを有することを特徴とする請求項１９記載の光学装置。
【請求項２１】  前記第１の機能選択メニューはアイリス機能選択メニューであり、前記第１の設定変更メニューはアイリスのゲインを変更するゲイン設定変更メニューであることを特徴とする請求項２０記載の光学装置。
【請求項２２】  請求項１から２１のいずれか１項記載の光学装置と、前記光学装置を装着したカメラ装置とを有することを特徴とする撮影装置。
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
供給元コンピュータから送信されるメニューデータを受信して表示する携帯電話機であって、
少なくとも数字キーを備える入力部と、データを表示する表示部とを有し、
前記供給元コンピュータから送信されるメニューデータを受信すると、該受信したメニューデータに基づき選択項目を前記表示部に表示し、該表示されている選択項目を前記入力部の数字キーにより選択することを特徴とする携帯電話機。
【請求項２】
電話回線を介して制御装置からプログラムメニューを受信して機能プログラムの項目を表示し、機能プログラムが選択されると、該機能プログラムを制御装置から受信して記憶し、記憶した機能プログラムを起動して動作が可能な携帯電話機であって、
携帯電話機から発呼を行うことにより、制御装置から第１のプログラムメニューを受信して選択候補の項目を表示する第１のメニュー表示画面を携帯電話機の表示部に表示し、
前記第１のメニュー表示画面で表示している選択候補の項目から第１の選択項目が選択されると、
該第１の選択項目に対応した第2のプログラムメニューを前記制御装置から受信して次の選択候補の項目を表示する第2のメニュー表示画面を表示し、
該第2のメニュー表示画面において第２の選択項目が選択されると、
該第２の選択項目が機能プログラムを指定する場合は、当該機能プログラムを指定するデータを前記制御装置に送信し、前記制御装置から前記指定データに対応する機能プログラムを受信して記憶し、
第２の選択項目が機能プログラムの指定でない場合は、第2の選択項目に対応した第3のプログラムメニューを前記制御装置から受信して次の選択候補の項目を表示する第3のメニュー表示画面を表示し、第3の選択項目を選択可能とした携帯電話機。
【請求項３】
電話回線を介して制御装置からプログラムメニューを受信して機能プログラムの項目を表示し、機能プログラムが選択されると、該機能プログラムを制御装置から受信して記憶し、記憶した機能プログラムを起動して動作が可能な携帯電話機であって、
携帯電話機から発呼を行うことにより、制御装置から第１のプログラムメニューを受信して選択候補の項目を表示する第１のメニュー表示画面を携帯電話機の表示部に表示し、
前記第１のメニュー表示画面で表示している選択候補の項目から第１の選択項目が選択されると、
該第１の選択項目に対応した第2のプログラムメニューを前記制御装置から受信して次の選択候補の項目を表示する第2のメニュー表示画面を表示し、
該第2のメニュー表示画面において第２の選択項目が選択されると、
該第２の選択項目が機能プログラムを指定する場合は、当該機能プログラムを指定するデータを前記制御装置に送信し、前記制御装置から前記指定データに対応する機能プログラムを受信して記憶するようにした携帯電話機。
【請求項４】
電話回線を介して制御装置からプログラムメニューを受信して機能プログラムの項目を表示し、機能プログラムが選択されると、該機能プログラムを制御装置から受信して記憶し、記憶した機能プログラムを起動して動作が可能な携帯電話機であって、
携帯電話機から発呼を行うことにより、制御装置から第１のプログラムメニューを受信して選択候補の項目を表示する第１のメニュー表示画面を携帯電話機の表示部に表示し、
前記第１のメニュー表示画面で表示している選択候補の項目から第１の選択項目が選択されると、
該第１の選択項目に対応した第2のプログラムメニューを前記制御装置から受信して次の選択候補の項目を表示する第2のメニュー表示画面を表示し、
該第2のメニュー表示画面においては、機能プログラムを指定すること、又は他のメニュー表示画面を指定することが可能であり、
第2のメニュー表示画面又は前記他のメニュー表示画面において機能プログラムが指定された場合は、当該機能プログラムを指定するデータを前記制御装置に送信し、前記制御装置から前記指定データに対応する機能プログラムを受信して記憶するようにした携帯電話機。
【手続補正書】
【提出日】平成18年9月8日(2006.9.8)
【手続補正１】
【補正対象書類名】明細書
【補正対象項目名】特許請求の範囲
【補正方法】変更
【補正の内容】
【特許請求の範囲】
【請求項１】  駆動信号により励振される電気機械変換素子と、
前記電気機械変換素子に接合され、前記励振により駆動面に進行性振動波が発生する弾性体と、
前記弾性体の駆動面に加圧接触され、前記進行性振動波によって駆動される移動体と、
を備える振動アクチュエータにおいて、
前記弾性体は、複数の突起部を有する円環型であり、
前記複数の突起部は、前記移動体との摺動面が、連続した滑らかな面であること、
を特徴とする振動アクチュエータ。
【請求項２】  請求項１に記載の振動アクチュエータにおいて、
前記移動体との摺動面が、半径方向から見て略円弧形状の面であること、
を特徴とする振動アクチュエータ。
【請求項３】  請求項２に記載の振動アクチュエータにおいて、
前記突起部の略円弧形状は、中央部の高さから一端部の高さを引いただれ量が、この突起部の先端の摺動面垂直方向の最大両振幅に対して、１／１０〜１／１であること、
を特徴とする振動アクチュエータ。
【請求項４】  請求項２に記載の振動アクチュエータにおいて、
前記摺動面は、前記略円弧の半径が、前記突起部の周方向の幅の半分以上であること、
を特徴とする振動アクチュエータ。
【請求項５】  請求項１から請求項４に記載の振動アクチュエータを製造する振動アクチュエータの製造方法であって、
前記電気機械変換素子に駆動信号を印加しながら、前記弾性体の複数の突起部の先端を研磨して、前記移動体との接触面を連続した滑らかな面にする研磨工程を備えること、
を特徴とする振動アクチュエータの製造方法。
【請求項６】  請求項５に記載の振動アクチュエータの製造方法であって、
前記研磨工程は、前記移動体との接触面を半径方向から見て略円弧形状の面に研磨すること、
を特徴とする振動アクチュエータの製造方法。
【請求項７】  請求項５または請求項６に記載の振動アクチュエータの製造方法であって、
前記研磨工程では、前記振動アクチュエータの駆動時よりも大きい振幅を前記弾性体に発生させること、
を特徴とする振動アクチュエータの製造方法。
【手続補正２】
【補正対象書類名】明細書
【補正対象項目名】００１１
【補正方法】変更
【補正の内容】
【００１１】
【課題を解決するための手段】
前記課題を解決するために、請求項１の発明は、駆動信号により励振される電気機械変換素子と、前記電気機械変換素子に接合され、前記励振により駆動面に進行性振動波が発生する弾性体と、前記弾性体の駆動面に加圧接触され、前記進行性振動波によって駆動される移動体と、を備える振動アクチュエータにおいて、前記弾性体は、複数の突起部を有する円環型であり、前記複数の突起部は、前記移動体との摺動面が、連続した滑らかな面であること、を特徴とする振動アクチュエータである。
【手続補正３】
【補正対象書類名】明細書
【補正対象項目名】００１２
【補正方法】変更
【補正の内容】
【００１２】
請求項２の発明は、請求項１に記載の振動アクチュエータにおいて、前記移動体との摺動面が、半径方向から見て略円弧形状の面であること、を特徴とする振動アクチュエータである。
請求項３の発明は、請求項２に記載の振動アクチュエータにおいて、前記突起部の略円弧形状は、中央部の高さから一端部の高さを引いただれ量が、この突起部の先端の摺動面垂直方向の最大両振幅に対して、１／１０〜１／１であること、を特徴とする振動アクチュエータである。
【手続補正４】
【補正対象書類名】明細書
【補正対象項目名】００１３
【補正方法】変更
【補正の内容】
【００１３】
請求項４の発明は、請求項２に記載の振動アクチュエータにおいて、前記摺動面は、前記略円弧の半径が、前記突起部の周方向の幅の半分以上であること、を特徴とする振動アクチュエータである。
【手続補正５】
【補正対象書類名】明細書
【補正対象項目名】００１４
【補正方法】変更
【補正の内容】
【００１４】
請求項５の発明は、請求項１から請求項４に記載の振動アクチュエータを製造する振動アクチュエータの製造方法であって、前記電気機械変換素子に駆動信号を印加しながら、前記弾性体の複数の突起部の先端を研磨して、前記移動体との接触面を連続した滑らかな面にする研磨工程を備えること、を特徴とする振動アクチュエータの製造方法である。
請求項６の発明は、請求項５に記載の振動アクチュエータの製造方法であって、前記研磨工程は、前記移動体との接触面を半径方向から見て略円弧形状の面に研磨すること、を特徴とする振動アクチュエータの製造方法である。
請求項７の発明は、請求項５または請求項６に記載の振動アクチュエータの製造方法であって、前記研磨工程では、前記振動アクチュエータの駆動時よりも大きい振幅を前記弾性体に発生させること、を特徴とする振動アクチュエータの製造方法である。
【手続補正書】
【提出日】平成18年9月8日(2006.9.8)
【手続補正１】
【補正対象書類名】明細書
【補正対象項目名】特許請求の範囲
【補正方法】変更
【補正の内容】
【特許請求の範囲】
【請求項１】  駆動信号により励振される圧電体と、該圧電体に接合され、前記励振により駆動面に進行性振動波を生じる弾性体とを有する振動体と、
前記弾性体の駆動面に加圧接触され、前記進行性振動波によって駆動される移動子と、
を備える振動波モータにおいて、
前記圧電体は、駆動信号を印加する電極部を有し、
前記弾性体は、前記圧電体が接合された円環状のベース部を有し、前記円環の径方向における前記圧電体の幅を、前記ベース部の前記径方向における幅よりも大きくしたことを特徴とする振動波モータ。
【請求項２】 駆動信号により励振される圧電体と、該圧電体に接合され、前記励振により駆動面に進行性振動波を生じる弾性体とを有する振動体と、
前記弾性体の駆動面に加圧接触され、前記進行性振動波によって駆動される移動子と、
を備える振動波モータにおいて、
前記圧電体は、駆動信号を印加する電極部を有し、
前記弾性体は、前記圧電体が接合された円環状のベース部を有し、該ベース部の前記圧電体が接合される側は、前記円環の径方向における幅を拡大した延出部を有することを特徴とする振動波モータ。
【請求項３】  請求項１または請求項２に記載の振動波モータにおいて、
前記電極部の前記径方向の幅は、前記弾性体の曲げ中心の前記径方向の幅よりも広いこと、
を特徴とする振動波モータ。
【請求項４】  請求項１に記載の振動波モータにおいて、
前記弾性体は、前記ベース部の外径側と内径側の少なくとも一方に延出した延出部を有し、
前記電極部の外径端及び内径端は、前記延出部の幅の範囲にあること、
を特徴とする振動波モータ。
【請求項５】  請求項２または請求項４に記載の振動波モータにおいて、
前記延出部は、前記圧電体を保持又は保護する部材であること、
を特徴とする振動波モータ。
【請求項６】  請求項２，４又は請求項５のいずれか１項に記載の振動波モータにおいて、
前記延出部は、前記ベース部の、前記圧電体の接合面側に設けられていること、
を特徴とする振動波モータ。
【手続補正２】
【補正対象書類名】明細書
【補正対象項目名】０００８
【補正方法】変更
【補正の内容】
【０００８】
【課題を解決するための手段】
前記課題を解決するために、請求項１の発明は、駆動信号により励振される圧電体と、該圧電体に接合され、前記励振により駆動面に進行性振動波を生じる弾性体とを有する振動体と、前記弾性体の駆動面に加圧接触され、前記進行性振動波によって駆動される移動子と、を備える振動波モータにおいて、前記圧電体は、駆動信号を印加する電極部を有し、前記弾性体は、前記圧電体が接合された円環状のベース部を有し、前記円環の径方向における前記圧電体の幅を、前記ベース部の前記径方向における幅よりも大きくしたことを特徴とする振動波モータである。
請求項２の発明は、駆動信号により励振される圧電体と、該圧電体に接合され、前記励振により駆動面に進行性振動波を生じる弾性体とを有する振動体と、前記弾性体の駆動面に加圧接触され、前記進行性振動波によって駆動される移動子と、を備える振動波モータにおいて、前記圧電体は、駆動信号を印加する電極部を有し、前記弾性体は、前記圧電体が接合された円環状のベース部を有し、該ベース部の前記圧電体が接合される側は、前記円環の径方向における幅を拡大した延出部を有することを特徴とする振動波モータである。
【手続補正３】
【補正対象書類名】明細書
【補正対象項目名】０００９
【補正方法】変更
【補正の内容】
【０００９】
請求項３の発明は、請求項１または請求項２に記載の振動波モータにおいて、前記電極部の前記径方向の幅は、前記弾性体の曲げ中心の前記径方向の幅よりも広いこと、を特徴とする振動波モータである。
【手続補正４】
【補正対象書類名】明細書
【補正対象項目名】００１０
【補正方法】変更
【補正の内容】
【００１０】
請求項４の発明は、請求項１に記載の振動波モータにおいて、前記弾性体は、前記ベース部の外径側と内径側の少なくとも一方に延出した延出部を有し、前記電極部の外径端及び内径端は、前記延出部の幅の範囲にあること、を特徴とする振動波モータである。
【手続補正５】
【補正対象書類名】明細書
【補正対象項目名】００１１
【補正方法】変更
【補正の内容】
【００１１】
請求項５の発明は、請求項２または請求項４に記載の振動波モータにおいて、前記延出部は、前記圧電体を保持又は保護する部材であること、を特徴とする振動波モータである。
【手続補正６】
【補正対象書類名】明細書
【補正対象項目名】００１２
【補正方法】変更
【補正の内容】
【００１２】
請求項６の発明は、請求項２，４又は請求項５のいずれか１項に記載の振動波モータにおいて、前記延出部は、前記ベース部の、前記圧電体の接合面側に設けられていること、を特徴とする振動波モータである。
【手続補正７】
【補正対象書類名】明細書
【補正対象項目名】００１８
【補正方法】変更
【補正の内容】
【００１８】
移動子１４は、アルミニウムといった軽金属からなり、摺動面の表面には、耐摩耗性向上のための表面処理が施されている。
【手続補正書】
【提出日】平成18年1月11日(2006.1.11)
【手続補正１】
【補正対象書類名】明細書
【補正対象項目名】００１８
【補正方法】変更
【補正の内容】
【００１８】
請求項３に係る発明は、上記第１キャパシタとアースとの間に接続され、上記第１トランスコンダクタンス素子の有限の周波数特性により発生する同相成分信号の通過帯域の歪みを打ち消すための第１抵抗発生素子と、上記第２キャパシタとアースとの間に接続され、上記第２トランスコンダクタンス素子の有限の周波数特性により発生する直交成分信号の通過帯域の歪みを打ち消すための第２抵抗発生素子（抵抗素子、トランジスタ素子等）とを設けたことを特徴とする。
請求項４に係る発明は、上記周波数特性を可変する手段として、入力差動対を構成する両トランジスタのドレイン端子間若しくはソース端子間に容量を設けたことを特徴とする。
【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  親局装置と、当該親局装置に対応した行政区域内に設置された子局装置とを備え、親局装置から子局装置へ広報情報を無線送信して、子局装置により出力する行政広報システムであって、
親局装置は、広報情報を所定の発信元から受信する第１の機能と、受信した広報情報を子局装置へ送信する第２の機能と、を備えたことを特徴とする行政広報システム。
【請求項２】  請求項１に記載の行政広報システムにおいて、
親局装置では、第１の機能は、広報情報を含む電子メールを所定の発信元から受信する、
ことを特徴とする行政広報システム。
【請求項３】  請求項１又は請求項２に記載の行政広報システムにおいて、
親局装置では、第１の機能は、指定情報を所定の発信元から受信し、
第２の機能は、受信した指定情報に応じて受信した広報情報を子局装置へ送信する、
ことを特徴とする行政広報システム。
【手続補正２】
【補正対象書類名】明細書
【補正対象項目名】００１８
【補正方法】変更
【補正の内容】
【００１８】
文字表示送出装置１に設けられた発信者チェック機能１１は、テーブル１６を参照して、受信した電子メールについてその発信元を判定する。テーブル１６には、本システムで広報情報の登録権限が与えられた一又は複数の取扱者のメールアドレス（又は、取扱者名）があらかじめ登録されており、発信者チェック機能１１は当該登録されているメールアドレス（又は、取扱者名）と受信電子メールに含まれる発信元メールアドレス２２（又は、発信者名２３）との一致を判定する。
これにより、広報情報を報知できる者が管理され、システムのセキュリティーが保障される。
【手続補正３】
【補正対象書類名】明細書
【補正対象項目名】００１９
【補正方法】変更
【補正の内容】
【００１９】
対象抽出・チェック機能１２は、受信した電子メールからタイトル２５及び送信本文２１を抽出し、テーブル１６を参照して、受信した電子メールについてその内容形式を判定する。テーブル１６には、本システムで広報情報として扱う一又は複数のタイトル、及び、本文の文字数があらかじめ登録されており、対象抽出・チェック機能１２は当該登録されているタイトルと受信電子メールに含まれるタイトル２５との一致、及び、当該登録されている文字数を受信電子メールに含まれる送信本文２１の文字数が超えないことを判定する
これにより、文字表示送出装置１に登録されて報知される広報情報はタイトルや文字数と言った内容や形式が管理される。
【手続補正４】
【補正対象書類名】明細書
【補正対象項目名】００２１
【補正方法】変更
【補正の内容】
【００２１】
なお、本例では、以下に説明するように、受信メールバッファ１７に保持される受信メールは、抽出されたその送信本文データ２１と受信日時及び指定情報２６による予約日時である。
また、本例では報知地域についての制御処理を説明しないが、指定情報２６として報知地域を指定している場合には、送信チェック機能１３により本システムがカバーする行政区域内への報知指定であるかを判定し、それ以外の子局装置などへの指定の場合にはエラーとして扱う。
【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】移動電話システム、携帯電話及び携帯電話の探索方法
【手続補正２】
【補正対象書類名】明細書
【補正対象項目名】特許請求の範囲
【補正方法】変更
【補正の内容】
【特許請求の範囲】
【請求項１】  基地局を介した無線通信を行うことができる第１の携帯電話と、第２の携帯電話とを備えた移動通信システムにおいて、
前記第１の携帯電話は、前記第２の携帯電話の識別情報を含む信号を送信する送信手段を備え、
前記第２の携帯電話は、前記第１の携帯電話から基地局を介さずに受信した前記識別情報と自携帯電話の識別情報とを照合する手段と、該照合において一致した場合に、応答信号を送信する送信手段とを備え、
前記第１の携帯電話は、該応答信号を基地局を介さずに受信する受信手段を備えた、
ことを特徴とする移動通信システム。
【請求項２】  前記応答信号は、前記第１の携帯電話から送信された信号の受信品質の計測結果を含む、
ことを特徴とする請求項１記載の移動通信システム。
【請求項３】  前記第１の携帯電話は、前記応答信号に含まれる前記計測結果に基づいて前記送信手段によって送信する前記第２の携帯電話の識別情報を含む信号の送信電力を制御する、
ことを特徴とする請求項２記載の移動通信システム。
【請求項４】  基地局を介して他の携帯電話と無線通信を行うことができる携帯電話において、
前記他の携帯電話の識別情報を含む信号を送信する送信手段を備え、
前記他の携帯電話が、該第１の携帯電話から基地局を介さずに受信した前記識別情報と自携帯電話の識別情報との照合において一致を検出した場合に送信する応答信号を基地局を介さずに受信する受信手段を備えた、
ことを特徴とする携帯電話。
【請求項５】  基地局との通信手段の他に直接相手との近距離無線通信手段を具備する携帯電話を用いた携帯電話探索方法において、
探索側携帯電話の近距離無線通信手段は、被探索側携帯電話を探索する為の被探索側携帯電話識別情報を含んだ探索信号を周期的に送出するステップ、
被探索側電話の携帯無線通信手段は、受信探索信号に含まれる識別情報を被探索側携帯電話の識別情報と照合するステップ、識別情報の合致時に、受信探索信号の受信レベルを含む応答信号を送信するステップ、
探索側携帯電話の近距離通信手段は、該応答信号の受信レベルと前記探索信号の送信電力から、被探索側電話の距離情報を算出し、所定のメッセージと共に、表示部に伝達するステップ、該応答信号の受信レベル情報を基に、所定ルールに従って前記探索信号の送信電力を制御し送出するステップ、を含むことを特徴とする携帯電話の探索方法。
【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】
第１の光伝送路から受信した波長多重光の少なくとも一部を第２の光伝送路へ中継する光伝送装置であって、
前記第１の光伝送路から受信した第１の波長多重光が、前記第１の光伝送路における第１の所定の位置から当該光伝送装置の間を伝送中に被る波長分散を補償する第１の分散補償器と、
前記第２の光伝送路へ送出する第２の波長多重光が、当該光伝送装置から前記第２の光伝送路における第２の所定の位置の間を伝送中に被る波長分散を補償する第２の分散補償器と、
前記第１の波長多重光から所定の帯域の光信号を分波する波長分岐手段と、所定の帯域の光信号を前記波長分岐手段からの波長多重光へ合波して前記第２の波長多重光を出力する波長挿入手段とを有する分岐挿入部とを有し、
前記分岐挿入部を、前記光伝送装置から着脱可能なモジュールとして構成し、当該モジュールを前記第１の分散補償器および前記第２の分散補償器の間に設置したことを特徴とする光伝送装置。
【請求項２】
請求項１に記載の光伝送装置であって、
前記波長挿入手段に、前記波長分岐手段が光信号に与える波長分散量を補償する波長分散量を設定することを特徴とする光伝送装置。
【請求項３】
請求項１に記載の光伝送装置であって、
前記第１の光伝送路と前記第１の分散補償器との間に、前記第１の波長多重光を増幅して出力する光アンプと、
前記第１の光伝送路と前記光アンプとの間に、前記光アンプに入力される光信号のパワーを検出する光パワー検出部と、
前記光アンプと前記分岐挿入部の間に、前記光アンプから出力される光信号の波長間利得偏差を補償する利得偏差補償部と、
前記光アンプの入力光パワーに対する波長間利得偏差特性と、前記光パワー検出部の検出した光パワーとに基づいて、前記光アンプからの光信号の波長間利得偏差が小さくなるよう前記利得偏差補償部を制御する制御部とを有することを特徴とする光伝送装置。
【請求項４】
請求項３に記載の光伝送装置であって、
前記制御部は、前記波長間利得偏差特性を予め記憶していることを特徴とする光伝送装置。
【請求項５】
請求項１に記載の光伝送装置であって、
前記第１の光伝送路と前記第１の分散補償器との間に、前記第１の波長多重光を増幅して出力する光アンプと、
前記光アンプと前記分岐挿入部の間に、前記光アンプから出力される光信号の波長間利得偏差を補償する利得偏差補償部とを有し、
前記分岐挿入部は、入力される前記第１の波長多重光のパワーを検出する手段と、前記分波した所定の帯域の光信号のパワーを検出する手段とを含み、
前記第１の波長多重光の波長多重数情報と、前記分岐挿入部により検出した前記第１の波長多重光のパワーおよび前記分波した所定の帯域の光信号のパワーとを用いて、前記分岐挿入部へ入力される波長多重光の波長間利得偏差を求め、当該波長間利得偏差を小さくするよう前記利得偏差補償部を制御する制御部を有することを特徴とする光伝送装置。
【請求項６】
請求項５に記載の光伝送装置であって、
前記制御部は、前記第１の波長多重光の波長多重数情報を、前記第１の波長多重光信号に含まれる監視制御信号から取得することを特徴とする光伝送装置。
【請求項７】
請求項１に記載の光伝送装置であって、
前記第２の分散補償器と前記第２の光伝送路の間に、前記第２の波長多重光を増幅して出力する光アンプと、
前記第１の波長多重光の波長多重数から、前記波長分岐手段により分波される光信号の波長数を減じた値に、前記波長挿入手段により合波される光信号の波長数を加えた値を用いて、前記光アンプの制御を行なう制御部とを有することを特徴とする光伝送装置。
【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】
パラメータの表示および編集機能を備えたドライブ装置のパラメータ表示方法において、
パラメータのデフォルト値を１００％として、値をパーセントで表示・編集する方法と、パラメータ値をその物理学量で表示・編集する方法とを持ち、その２つの表示・編集方法とを切り替えることを特徴とするドライブ装置のパラメータ表示方法。
【請求項２】
前記パーセント表示方法は、デフォルト値を０％相当として、標準値からの差をパーセントで表示・編集することを特徴とする請求項１記載のドライブ装置のパラメータ表示方法。
【請求項３】
前記パーセント表示方法は、複数のパラメータの変更必要増減量を考慮し、同じパーセント値分の変更をすると必要な変更が得られるように値のスケールファクターを設定したことを特徴とする請求項２記載のドライブ装置のパラメータ表示方法。
【請求項４】
パラメータの表示および編集機能を備えたドライブ装置のパラメータ表示装置において、
前記パラメータのデフォルト値を１００％として、値をパーセントで表示・編集する手段と、パラメータ値をその物理学量で表示・編集する手段とを持ち、その２つの表示・編集手段とを切り替えることを特徴とするドライブ装置のパラメータ表示装置。
【手続補正２】
【補正対象書類名】明細書
【補正対象項目名】発明の名称
【補正方法】変更
【補正の内容】
【発明の名称】ドライブ装置のパラメータ表示方法及びその装置
【手続補正３】
【補正対象書類名】明細書
【補正対象項目名】０００１
【補正方法】変更
【補正の内容】
【０００１】
【発明の属する技術分野】
本発明は、パラメータの表示および編集機能を備えたドライブ装置のパラメータ表示方法及びその装置に関する。
【手続補正４】
【補正対象書類名】明細書
【補正対象項目名】０００５
【補正方法】変更
【補正の内容】
【０００５】
【課題を解決するための手段】
上記問題を解決するため、請求項１に記載の発明は、パラメータの表示および編集機能を備えたドライブ装置のパラメータ表示方法において、パラメータのデフォルト値を１００％として、値をパーセントで表示・編集する方法と、パラメータ値をその物理学量で表示・編集する方法とを持ち、その２つの表示・編集方法とを切り替えることを特徴としている。
また、請求項２に記載の発明は、請求項１記載の表示方法において、前記パーセント表示方法がデフォルト値を０％相当として、標準値からの差をパーセントで表示・編集することを特徴としている。
また、請求項３に記載の発明は、請求項２記載の表示方法において、前記パーセント表示方法が複数のパラメータの変更必要増減量を考慮し、同じパーセント値分の変更をすると必要な変更が得られるように値のスケールファクターを設定したことを特徴としている。
また、パラメータの表示および編集機能を備えたドライブ装置のパラメータ表示装置において、前記パラメータのデフォルト値を１００％として、値をパーセントで表示・編集する手段と、パラメータ値をその物理学量で表示・編集する手段とを持ち、その２つの表示・編集手段とを切り替えることを特徴としている。
このドライブ装置のパラメータ表示方法によれば、パラメータ表示を物理学量による表示と、パーセント表示を切換えて使用し、その変化量のファクターを適切に決めることによって、数値が大きすぎたり小さすぎたりした場合に桁数制限のある表示装置ではうまく表示できない問題を解決することができ、操作者にとっては数値変更が快適にできる操作環境を提供することができる。